(57)【要約】【課題】  本考案は、ガラスカーテンウォールまたは屋根のためのローターディスク接続部材を提供することである。【解決手段】  一端がトラスフレームに接続され、他端が連結部と接続され、かつ連結部が少なくとも２つの支持アームの一端と接続された支持当接部を有しており、支持当接部は、ボールピボットを介して連結部と接続され、支持アームは、連結部とヒンジ連結されており、簡単な構成をなしていて、ガラスカーテンウォールまたは屋根を構成する際に、簡単に組立てられる。【選択図】  図１１
0003107786.tif 000002
【実用新案登録請求の範囲】
【請求項１】
一端がトラスフレームに接続され、他端が連結部と接続され、該連結部が少なくとも２つの支持アームの一端と接続された支持当接部材を有する、ガラスカーテンウォールまたは屋根のためのローターディスク接続部材において、
前記支持当接部材は、ボールピボットを介して前記連結部と接続され、前記支持アームは、前記連結部とヒンジ連結されていることを特徴とするガラスカーテンウォールまたは屋根のためのローターディスク接続部材。
【請求項２】
前記支持当接部材の他端に設けられたボールヘッドと、
前記連結部の中心部に設けられたボールピボットシートと、
ベース板およびカバー板によって形成されたボールソケットと、をさらに有し、前記連結部は、前記連結部の周囲に配設された少なくとも２つのラグ板を介して前記支持アームとヒンジ連結されていることを特徴とする請求項１記載のガラスカーテンウォールまたは屋根のためのローターディスク接続部材。
【請求項３】
前記ベース板の平面内の前記少なくとも２つのラグ板の挟角ａは、１５°≦ａ≦１８０゜の状態を満足することを特徴とする請求項２記載のガラスカーテンウォールまたは屋根のためのローターディスク接続部材。
【請求項４】
前記支持アームの他端は、支持バーと接続される接続端部であり、前記連結部と接続される前記支持アームの接続端部と、前記支持バーを有する接続端部との間に、円弧状ラインが設けられ、前記円弧状ラインは、前記支持バーと同一の高さを達成するように通過していることを特徴とする請求項３記載のガラスカーテンウォールまたは屋根のためのローターディスク接続部材。
【請求項５】
前記支持当接部材の他端に設けられたボールヘッドをさらに有し、前記連結部は、カバー板と、上ベース板と、下ベース板とから成り、前記連結部の中心部に設けられたボールピボットシートと、前記上ベース板および前記カバー板により形成されたボールソケットとを有し、前記連結部は、前記連結部の周囲に設けられた少なくとも２つのラグ板を介して前記支持アームとヒンジ連結され、
前記上ベース板および前記下ベース板の１つに設けられ、円に沿って配置された楕円形の孔と、
対応する前記上ベース板および前記下ベース板に設けられた前記楕円形の孔に対応するボルト孔と、を有し、
前記上ベース板および前記下ベース板は、ボルトによって互いに調節可能に、かつ固着連結されていることを特徴とする請求項１記載のガラスカーテンウォールまたは屋根のためのローターディスク接続部材。
【請求項６】
前記少なくとも２つのラグ板は、前記上ベース板および前記下ベース板の周囲にそれぞれ配置されていることを特徴とする請求項５記載のガラスカーテンウォールまたは屋根のためのローターディスク接続部材。
【請求項７】
前記支持アームの他端は、支持バーと接続される接続端部であり、
前記連結部と接続される前記支持アームの接続端部と、前記支持バーを有する接続端部との間に、円弧状ラインが設けられ、前記円弧状ラインは、前記支持バーと同一の高さを達成するように通過していることを特徴とする請求項６記載のガラスカーテンウォールまたは屋根のためのローターディスク接続部材。
【請求項８】
前記支持アームの他端は、支持バーと接続される接続端部であり、
前記連結部と接続される前記支持アームの接続端部と、前記支持バーを有する接続端部との間に、円弧状ラインが設けられ、前記円弧状ラインは、前記支持バーと同一の高さを達成するように通過していることを特徴とする請求項１記載のガラスカーテンウォールまたは屋根のためのローターディスク接続部材。
【考案の詳細な説明】
【技術分野】
【０００１】
本考案は、カーテンウォールまたは屋根のカバー被覆が強固な板、特に、単層ガラス板または中空積層ガラス板を用いる場合に、ガラスフレームにトラスフレームを接続するためのローターディスク接続部材に関するものである。
【背景技術】
【０００２】
単層ガラスまたは中空ガムサンドウィッチガラスは、かなりの大型ビルディングのカーテンウォールまたは屋根における装飾材料として広く使用されている。一般的に、これらビルディングの構造において、基礎トラスフレームは、ガラス組立領域内の構成面に固着される。そして、ガラスの各部片に対応するガラスフレームは、トラスフレームに取り付けられる。各ガラスフレームは、節部接続部材を被覆する４つの支持バーを有している。終りに、ガラスはガラスフレームに固着される。大半のカーテンウォールまたは屋根は、彎曲した形状を有するように設計されており、節部接続部材を被覆する追加の２つ、３つまたはそれ以上の支持バーを有するように或る特別な節部を必要とすることがある。さらに、トラスフレーム自体は、彎曲した面の被覆として実質的に存続されるべきである。加えて、節部における接続部材の角度は、元の設計形状の彎曲した構成面を最終のガラスカーテンウォールまたは屋根の彎曲した面が示すことができるように各方向に調節できなければならない。
【０００３】
今日、多くの有効な接続部材は、調節できなく、かつ有用でなく、調節可能な接続部材は、複雑で不便である。
【０００４】
（考案の要約）
本考案の目的は、多数の曲面を有するガラスカーテンウォールまたは屋根を構成するようにできるローターディスク接続部材を提供することにある。
【０００５】
本考案の別の目的は、非矩形のガラスを構成して固着するようにできるローターディスク接続部材を提供することにある。
【０００６】
本考案のさらに別の目的は、ガラスカーテンウォールまたは屋根の構成が迅速にできるローターディスク接続部材を設計することにある。
【０００７】
上述した目的を達成するために、ガラスカーテンウォールまたは屋根のローターディスク接続部材は、一端がトラスフレームと接続され、他端がボールピボットを介して連結部と接続される支持当接部材を有している。従って、連結部が位置する平面は、支持当接部材に対してボールピボットポイントを介して３６０゜の角度を回転できる。さらに、連結部は、その平面内において２つまたはそれ以上の支持アームの一端部とヒンジ連結され、連結部に対して角度をもって回転できる。
【０００８】
上述の解決手段から理解できるように、本考案は、支持当接部とトラスフレームの間の固定された接続と、支持アームと支持バーの間の固定された接続とに用いる。これら２つの接続の作用は、トラスフレームをガラスフレームに接続することである。さらに、構成中における曲面を適切に調整するために、本考案は、連結部と支持当接部の間に構成されたボールピボットと、連結部と支持アームの間のヒンジ継手とを有している。この構成は、種々な曲面を有するガラスカーテンウォールまたは屋根を構成するように既存の調整可能な接続部材が使用される従来技法よりも簡単であり、かつ強固である。
【考案を実施するための最良の形態】
【０００９】
（実施例１）
代表的に使用される接続部材が４つの支持アームを有するために、この実施例１は、４つの支持アームを有する十字形の接続部材を有している。図１を参照するに、この図は、フレーム平面（または彎曲面の接触面）内に位置するガラスカーテンウォールまたは屋根のローターディスク接続部材を示している。ローターディスク接続部材は、４つの支持アーム３を有しており、連結部２の４つのラグ板２３とそれぞれヒンジ連結されている。支持アーム３の上面３１には、ガラスフレーム（図示しない）の支持バーを固着するためのボルト孔を有している。本実施例の連結部２は、ベース板２２と、固着具によって互いに連結されたカバー板２１とを有している。ボールヘッド１１は、ベース板２２とカバー板２１の間のボールソケット内に位置されている。
【００１０】
図２および図３を参照するに、支持当接部１はロッド構造である。ボールヘッド１１は、支持当接部１の上端部に配置されており、ねじ１２が下端部に設けられていてトラスフレームと係合されている。連結部２は、円形カバー板２１と円形ベース板２２とを有している。カバー板２１とベース板２２の連結部分は、ボールヘッド１１を受けるためのボールソケットを形成している。支持アーム３の両端部（ヒンジ連結された端部でない）は、ガラスフレームの支持バーに挿入されている。円弧状の線で示される支持アーム３の下面３３の投影鋳物は、ガラスフレームの支持バーの高さと等しい高さを形成しており、ガラスフレームの支持バーのためのローターディスク接続部材の強度を十分に改善している。
【００１１】
図４および図５を参照するに、ベース板２２の中心は、ボールソケットの下半部を形成する半球状ソケット２４を有している。ベース板２２の４つのラグ板２３に関して、２つのラグ板が１つの直線上に位置し、他の２つのラグ板が別の直線上に位置している。構造条件に基づいて、これら２つの直線の挟角は、１５゜から１８０゜の範囲内とすることができ、両端の角度を含むものである。本実施例において、ベース板の１つの挟角ａは８５゜である。実際には、ベース板２２は、上記の範囲内にて５゜の間隔で一纏めに準備できる。
【００１２】
図６および図７を参照するに、カバー板２１の下部は、ボールソケットの上半分を構成する半球状ソケット２５を有している。
【００１３】
図８、図９および図１０を参照するに、二重ラグヘッド３４は、連結部とヒンジ連結されて、支持アーム３の一端部に配置されている。支持アーム３の他端は、上述したように支持バーの中に挿入される。支持アーム３は、平らな上面３１と、円弧状の下面３３と、２つのボルト孔３５とを有している。
【００１４】
図１１と図１３は、支持当接部１とカバー板２１とベース板２２とにおけるヒンジ連結関係と、連結部と支持アーム３の間のヒンジ連結関係と、支持当接部１と構成部材５との間の組立関係とを示している。構成部材５の下端部は、トラスフレームに溶接される。支持アーム３の挿入端部は、支持バー４の中に挿入された後に、固着部材を使用することによって固着される。支持アーム３の下部は、ガラスフレームの支持バーの高さと等しい高さをなすように通過する円弧状ラインをしており、従って、ガラスフレームの支持バーを支持するためのローターディスク接続部材の強度を改善する。
【００１５】
（実施例２）  
図１２および図１３を参照するに、実施例１に関して上述した特徴については、繰り返されないであろう。連結部のベース板は、上ベース板２２Ａと下ベース板２２Ｂとを有している。一対の同一直線上のラグ板が上ベース板２２Ａと下ベース板２２Ｂ上に設けられている。ボールソケットが、上ベース板２２Ａとカバー板２１の中心に設けられている。楕円形の孔２７が上ベース板２２Ａ上の円に沿って均等に配置されており、楕円形の孔に対応するボルト孔２６が下ベース板２２Ｂに設けられている。これは、２対の同一直線上のラグ板の間の挟角ａの調節のための上ベース板と下ベース板の相互の回転を設けるものである。この調節の後に、上ベース板と下ベース板は、ボルトを使用することによって固着される。
【００１６】
上述の実施例は、本考案の実用新案登録請求の範囲を制限するように意図されていない。例えば、実施例２は、上ベース板と下ベース板の両方にそれぞれ設けられるラグ板を有するようにできる。これら２つのラグ板の挟角は、上ベース板と下ベース板の協同によって１５゜から１８０゜の範囲内で調節することができる。挟角の微細調節は、楕円形の孔によって行われる。多数のラグ板の配設のために、相対角度ａを有する幾つかのラグ板が、上ベース板と下ベース板の上に予め固着することができ、角度ａを１５゜から１８０゜の範囲内とすることができる。
【００１７】
明らかに、変更と変形が、先の詳細な説明を読んで理解する他の者において行うことができよう。添付の実用新案登録請求の範囲または同等のものの範囲内にあるときに、全ての変更と変形を含むように、説明した実施例が構成されることが意図されている。
【図面の簡単な説明】
【００１８】
【図１】本考案の第１の実施例の構成図である。
【図２】図１の底面図で、連結部の部分断面図である。
【図３】図１のＡ−Ａ線に沿った断面図である。
【図４】連結部の構成図である。
【図５】図４のＢ−Ｂ線に沿った断面図である。
【図６】カバー板の構成図である。
【図７】図６のＣ−Ｃ線に沿った断面図である。
【図８】支持アームの構成図である。
【図９】図８の平面図である。
【図１０】図８のＤ−Ｄ線に沿った断面図である。
【図１１】本考案の第１の実施例を示す分解斜視図で、本考案に含まれない図示の部分は鎖線で示され、トラスフレーム（図示しない）に支持当接部を固着すべく使用される部材５と、ガラスフレームを構成する支持バー４とを有しており、図示の簡略化のために１つの支持アーム３だけがこの図に示されている。
【図１２】本考案の第２の実施例を示す斜視図である。
【図１３】一緒に組立てられる支持アーム３と支持バー４の分解斜視図である。
【符号の説明】
【００１９】
１      支持当接部
２      連結部
３      支持アーム
４      支持バー
５      構成部材
１１    ボールヘッド
１２    ねじ
２１    カバー板
２２    ベース板
２２Ａ  上ベース板
２２Ｂ  下ベース板
２３    ラグ板
２４、２５    半球状ソケット
２６    ボルト孔    
２７    楕円形の孔
３１    上面
３３    下面
３４    ラグヘッド
３５    ボルト孔
【図１】
0003107786.tif 000003
【図２】
0003107786.tif 000004
【図３】
0003107786.tif 000005
【図４】
0003107786.tif 000006
【図５】
0003107786.tif 000007
【図６】
0003107786.tif 000008
【図７】
0003107786.tif 000009
【図８】
0003107786.tif 000010
【図９】
0003107786.tif 000011
【図１０】
0003107786.tif 000012
【図１１】
0003107786.tif 000013
【図１２】
0003107786.tif 000014
【図１３】
0003107786.tif 000015